(57)【特許請求の範囲】
【請求項１】
近視の進行を遅延させること、遅滞させること、又は防止することのうち少なくとも１つのための眼用レンズであって、該眼用レンズは、
近視に対して中心窩視力の矯正をもたらす負の度数を有する該眼用レンズの中心と、
該中心を囲み、かつ前記中心よりも正であるジオプトリ度数を有する第１のピークまで大きくなる度数を有する、第１の周辺部と、
該第１の周辺部を囲み、かつ前記中心よりも正であり、該第１のピークにおける該度数と異なる、ジオプトリ度数を有する第２のピークを有する、第２の周辺部と、を含み、
前記眼用レンズは、瞳孔径を問わず、近視の進行を遅延させ、遅滞させ、又は防止する前記眼用レンズの中心から外縁に向かって２峰性の度数プロファイルを有し、
前記度数プロファイルが、
前記第１のピークと前記第２のピークの間に第１の谷を備え、
前記第１のピークが前記眼用レンズの中心から半径方向に１．０９ｍｍ離れており、
前記第１の谷が前記眼用レンズの中心から半径方向に１．７５ｍｍ離れており、
前記第２のピークが前記眼用レンズの中心から半径方向に２．２０ｍｍ離れており、
前記第２のピークにおける前記度数は、前記第１のピークにおける前記度数未満である、眼用レンズ。
【請求項２】
前記第１のピークは、前記中心における前記度数と比較して、＋１．００Ｄ〜＋１５．００Ｄの度数を有する、請求項１に記載の眼用レンズ。
【請求項３】
前記第２のピークは、前記中心における前記度数と比較して、＋１．００Ｄ〜＋１５．００Ｄの度数を有する、請求項１に記載の眼用レンズ。
【請求項４】
前記第１の谷は、前記第１のピーク又は前記第２のピークにおける大きさよりも少なくとも０．５０ジオプター小さい度数を有する、請求項１に記載の眼用レンズ。
【請求項５】
前記眼用レンズは、コンタクトレンズを含む、請求項１に記載の眼用レンズ。
【請求項６】
前記眼用レンズは、眼内レンズ、角膜インレー、又は角膜アンレーを含む、請求項１に記載の眼用レンズ。
【請求項７】
１つ又は２つ以上の安定化機構を更に含む、請求項１に記載の眼用レンズ。
【発明の詳細な説明】
【技術分野】
【０００１】
本発明は、眼用レンズに関し、より具体的には、近視の進行を、遅延させ、遅滞させ、又は防止するように設計されたコンタクトレンズに関する。本発明の眼用レンズは、大小両方の入射瞳孔径、例えば、近視の進行を抑制又は低減する際の使用に好適である３．０ｍｍ〜７．０ｍｍの直径を有する瞳孔径に対して、正の球面収差を有する度数プロファイル（power profiles）を含む。
【背景技術】
【０００２】
視力低下をもたらす一般的な状態は、近視及び遠視を含み、近視及び遠視に対し、眼鏡又は硬質若しくはソフトコンタクトレンズの形態の矯正レンズが処方される。この状態は、概して、眼の長さと眼の光学的要素の焦点との間の不均衡として説明される。近視眼は、網膜面（retinal plane）の前で焦点が合い、遠視眼は、網膜面の後で焦点が合う。近視は、通常、眼軸長が、眼の光学的構成要素の焦点距離よりも長く延伸する、即ち、眼が延伸しすぎるために発症する。遠視は、通常、眼軸長が眼の光学的構成要素の焦点距離と比較して短すぎる（too shortcompared with）、即ち、眼が十分に延伸しないために発症する。
【０００３】
世界の多くの地域において、近視有病率は、高い。この状態に対する最大の懸念は、近視が、例えば、５又は６ジオプター超の強度近視に進行する可能性であり、人が視覚補助具なしで活動する能力に著しい影響を与える。強度近視は、網膜疾患、白内障、及び緑内障の危険性の増大にも関連している。
【０００４】
矯正レンズを使用して、眼の全体の焦点（gross focus）を変化させ、近視を矯正するためには網膜面の前から、遠視を矯正するためには網膜面の後から、それぞれ、焦点を移すことによって、網膜面に、より鮮明な像を映す。しかし、状態に対する矯正的手法は、状態の原因に対処しておらず、単に補てつである、すなわち、症状に対処することを意図するものである。
【０００５】
ほとんどの眼は、単純な近視又は遠視ではなく、近視性乱視又は遠視性乱視である。焦点の非点隔差（Astigmatic errors）により、点光源の像は、異なる焦点距離における相互に垂直な２本の線として形成される。以下の考察において、近視及び遠視という用語は、単純な近視又は近視性乱視、並びに遠視及び遠視性乱視を、それぞれ含んで使用される。
【０００６】
正視は、水晶体が緩んだ状態で、無限遠における対象物に比較的しっかりと焦点が合っている、明視の状態を表す。正常な、又は正視の成人の眼において、遠くと近く両方の対象物からの、孔又は瞳孔の中心又は近軸領域を通る光は、眼の内部の水晶体によって、倒立像が感知される網膜面の近くに、集められる。しかし、眼が無限遠に焦点を合わせている時、ほとんどの正常な眼は、概ね、５．０ｍｍの孔に対する約＋０．５０ジオプター（Ｄ）の領域において、正の縦球面収差を呈することが認められ、これは、周辺で孔又は瞳孔を通り抜ける光線は、網膜面の前の＋０．５０Ｄに集められることを意味する。本明細書で使用される場合、測定単位Ｄは、ジオプトリ度数であり、レンズ又は光学系の焦点距離の逆数をメートルで表したものと定義される。
【０００７】
正常な眼の球面収差は、一定でない。例えば、遠近調節（主として水晶体に対する変化に由来する（derived primarily though）眼の屈折力の変化）により、球面収差は、正から負へ変化する。
【０００８】
米国特許第６，０４５，５７８号は、正の球面収差をコンタクトレンズに付加することにより、近視の進行を低減、又は抑制することとなることを開示している。方法は、視覚系の球面収差を変化させて、眼の長さの延伸を変えることを含む。換言すれば、球面収差によって、正視化を調節することができる。このプロセスにおいて、近視眼の角膜には、レンズの中心から離れると大きくなるジオプトリ度数を有するレンズが装着される。レンズの中心部分に入射する近軸光線は、眼の網膜上に集められ、対象物の鮮明な像を生成する。角膜の周辺部分に入射する周縁光線は、角膜と網膜との間の平面内に集められ、網膜上に、その像の正の球面収差を生成する。この正の球面収差は、眼の延伸を阻止する傾向がある、眼に対する生理学的効果を及ぼすことで、近視眼がより長く延伸する傾向を軽減する。
【０００９】
現在、正の球面収差の付加は、唯一の具体的な瞳孔径に適用される形で定められる。瞳孔、例えば、小児の瞳孔は、光レベルにより著しく変化するため、特に近視の抑制において、例えば、直径が約３ｍｍ〜約７ｍｍの範囲である様々な瞳孔径にわたって、より一貫性のある正の球面収差を伴う、光学素子を設計する必要がある。
【発明の概要】
【課題を解決するための手段】
【００１０】
本発明の瞳孔径を問わないレンズの設計により、中心窩距離の視力矯正を保証し、大小両方の瞳孔径に関して、より一貫性のある正の球面収差を有する度数プロファイルを提供することにより、従来技術の制約を解決し、これにより、近視の進行を遅延させ、遅滞させ、又は防止することができる。
【００１１】
一態様によると、本発明は、近視の進行を遅延させること、遅滞させること、又は防止することのうち少なくとも１つのための眼用レンズを対象とする。眼用レンズは、近視に対して中心窩視力の矯正をもたらす負の度数を有する眼用レンズの中心と、中心を囲み、かつ中心よりも正であるジオプトリ度数を有する第１のピークまで大きくなる度数を有する、第１の周辺部と、第１の周辺部を囲み、かつ中心よりも正であり、第１のピークにおけるジオプトリ度数と異なるジオプトリ度数を有する第２のピークを有する、第２の周辺部と、を含む。レンズは、瞳孔径を問わず、近視の進行を遅延させ、遅滞させ、又は防止する度数プロファイルを有する。
【００１２】
別の態様によると、本発明は、近視の進行を遅延させること、遅滞させること、又は防止することのうち少なくとも１つのための方法を対象とする。レンズは、近視に対して中心窩視力の矯正をもたらす負の度数を有する眼用レンズの中心と、中心よりも正であるジオプトリ度数を有する第１のピークまで大きくなる度数を有する中心を囲む、第１の周辺部と、第１の周辺部を囲み、かつ中心よりも正であり、第１のピークにおけるジオプトリ度数と異なるジオプトリ度数を有する第２のピークを有する、第２の周辺部と、を含む。したがって、瞳孔径を問わず、眼の延伸は変えられる。
【００１３】
本発明のコンタクトレンズは、瞳孔径を問わない度数プロファイルによって設計される。レンズは、最小相対度数エネルギー（power energy）、５を有する度数プロファイルを含み、これにより、約３ｍｍ〜約７ｍｍの瞳孔直径にわたって、より一貫性のある球面収差を提供することができる。
【００１４】
本発明の瞳孔径を問わないレンズのコンタクトレンズの設計は、世界中で勢いを増して増加している近視の進行を防止し、かつ／又は遅延させるための、簡易で、費用対効果が高く、かつ有効な手段及び方法を提供する。
【図面の簡単な説明】
【００１５】
本発明の前述の特徴及び利点、並びに他の特徴及び利点は、以下の、添付の図面に示される本発明の好ましい実施態様の、より詳細な説明から明らかとなるであろう。
【図１】瞳孔直径対輝度のグラフである。
【図２】明るい輝度レベル及び薄暗い輝度レベルにおける小児の瞳孔径を示すグラフである。
【図３Ａ】＋１．５０Ｄの正の縦球面収差を有するレンズの度数プロファイルの図である。
【図３Ｂ】図３Ａのレンズの相対度数エネルギーのグラフである。
【図４Ａ】本発明による、第１の瞳孔径を問わないレンズの度数プロファイルの図である。
【図４Ｂ】図４Ａのレンズの相対度数エネルギーのグラフである。
【図５Ａ】本発明による、第２の瞳孔径を問わないレンズの度数プロファイルの図である。
【図５Ｂ】図５Ａのレンズの相対度数エネルギーのグラフである。
【図６】本発明による例示的なコンタクトレンズの図表示である。
【発明を実施するための形態】
【００１６】
レンズの既知の度数プロファイルは、瞳孔径に基づく正の縦球面収差を有し得るが、瞳孔径の変化に従い眼に入射する光のレベルが異なる要因とならない。図１に示す通り、輝度が変化すると、瞳孔径は、例えば、直径３．０ｍｍ〜７．０ｍｍと、かなり変化する。
【００１７】
次に、図２を参照すると、３００名の小児（６００個の眼）の臨床研究から得られたグラフが示されており、明るい輝度レベル及び薄暗い輝度レベルでの瞳孔の百分率、並びに対応する瞳孔径が示されている。図示の通り、瞳孔径は、光レベルによって著しく変化し得る。
【００１８】
本発明によると、相対度数エネルギー（ＲＰＥ）は、大小両方の瞳孔径において、例えば、３．０ｍｍ〜７．０ｍｍの範囲の瞳孔径について、より一貫性のある正の球面収差を有するレンズ度数プロファイルを開発するために使用され、これにより、既知のレンズよりも良好な治療を提供し、又は近視の進行を防止することができる。相対度数エネルギー（ＲＰＥ）は、以下のように計算することができる。
【００１９】
まず、式（１）により、瞳孔の第１の領域における度数エネルギーを計算する（例えば、瞳孔径によって、これは、瞳孔面積の約１５．５２パーセントに相当し得る）。
【００２０】
【数１】
0006698293.tif 000002
【００２１】
第２に、式（２）により、第１の領域を囲む瞳孔の第２の領域における度数エネルギーを計算する（例えば、瞳孔径によって、これは、瞳孔面積の約８４．４８パーセントに相当し得る）。
【００２２】
【数２】
0006698293.tif 000003
【００２３】
最後に、式（３）により、相対度数エネルギー（ＲＰＥ）を計算する。
ＲＰＥ（ｄ）＝ＰＥＣ（ｄ）−ＰＥＡ（ｄ）    （３）
式中、ｒは、径方向位置であり、
ｄは、瞳孔直径（入射瞳孔径）であり、
ｆ（ｒ）は、レンズのジオプトリ度数（Ｄ）を表し、
ｓ（ｒ）は、スタイルス−クロフォード効果を表す。
【００２４】
次に、図３Ａを参照すると、２．５ｍｍの径方向位置で、＋１．５０Ｄの、正の縦球面収差を有するレンズの度数プロファイル（米国特許第６，０４５，５７８号からの例）が示されている。このレンズのＲＰＥは、様々な入射瞳孔（ＥＰ）径に関して計算されている。図３Ｂにおいて、ＲＰＥ曲線が描かれている。図３Ｂのグラフに示す通り、ＲＰＥ値は、瞳孔径が大きくなるにつれて増加する。
【００２５】
ＲＰＥは、小さい入射瞳孔径に対して低い（即ち、３．０〜４．０ｍｍのＥＰ径に対して５未満）ことが認められる。実際、６．５ｍｍの入射瞳孔（ＥＰ）で測定されたＲＰＥ値は、３．０ｍｍの入射瞳孔の値より約８倍大きい。したがって、図３Ａのレンズは、様々な瞳孔径にわたって一貫性のある球面収差を有していない。よって、このレンズの設計は、大きい瞳孔については近視の進行速度を遅滞させることができるが、小さい瞳孔については近視の進行を防止、又は抑制することにおいてほとんど効果を有し得ない。
【００２６】
次に、図４Ａを参照すると、本発明による第１の瞳孔径を問わないレンズの度数プロファイル（ＫＣ）が示され、図３Ａの度数プロファイルと対比されている。レンズの幾何学的中心における度数は、既存の近見視力の状態に整合する負の焦点度数（focal power）を有し得、これにより、中心窩視力の矯正がもたらされる。レンズは、屈折力が、第１のピーク（ピーク＃１）まで、徐々に、かつ持続的に増大する第１の周辺部を含む。具体的な実施形態では、第１のピークの場所は、レンズの中心から、０．７５ｍｍ以上２．０ｍｍ以下、例えば、図示の通り、約１．０９ｍｍ離れてもよい。具体的な実施形態では、第１のピークにおける正の度数の大きさは、レンズの中心における度数に対して、＋１．００Ｄ〜＋１５．００Ｄの範囲、例えば、図示の通り、約＋２．０５ジオプターであってもよい。
【００２７】
度数プロファイル（ＫＣ）は、また、屈折力が第１のピークからバレー（バレー＃１）に低下し、その後、バレーから第２のピーク（ピーク＃２）に増加する第２の周辺部を含む。具体的な実施形態では、第２のピークの場所は、レンズの中心から、２．００ｍｍ以上３．５０ｍｍ以下離れ、例えば、中心から約２．２０ｍｍ離れてもよい。具体的な実施形態では、レンズの中心における度数に対する、第２のピークにおける正の度数の大きさは、＋１．００Ｄ〜＋１５．００Ｄの範囲、例えば、図示の通り、＋１．４０ジオプターであってもよい。具体的な実施形態では、第２のピークにおける正の度数の大きさは、第１のピークにおける正の度数の大きさ以下である。
【００２８】
図４Ａにおいて、バレーの場所は、レンズの中心から約１．７５ｍｍである。レンズの中心における正の度数の大きさに対する、バレーの正の度数の大きさは、＋０．８５ジオプターである。具体的な実施形態では、この大きさは、第１のピーク又は第２のピークの大きさよりも、少なくとも０．５０ジオプター小さくてもよい。レンズの設計は、また、正の度数が、第２のピークからレンズの光学部の縁部まで持続的に低下する、第３の領域を含む。
【００２９】
次に、図４Ｂを参照すると、図４Ａのレンズの設計のＲＰＥが、図３ＡのレンズのＲＰＥと比較して示されている。本発明による瞳孔径を問わないレンズは、より平坦なＲＰＥ曲線を有する。３．０ｍｍ〜約６．５ｍｍの範囲の瞳孔径について、ＲＰＥは、５以上、例えば、８以上である。対照的に、図３ＡのレンズのＲＰＥは、６．０ｍｍ未満の瞳孔径において、より小さいＲＰＥを有し、５．５ｍｍ未満の瞳孔径について、著しく小さい。したがって、図４Ａのレンズの設計は、瞳孔径の、より広範囲にわたって、特に、瞳孔径がより小さい範囲にわたって、より一貫性のある正の球面収差を有する。図４Ａのレンズの設計は、大きい瞳孔のみならず、小さい瞳孔についても、効果的に、近視の進行速度を防止し、遅延させ、又は遅滞させる。
【００３０】
次に、図５Ａを参照すると、本発明による第２の瞳孔径を問わないレンズの度数プロファイル（ＮＢ）が示され、図３Ａの度数プロファイルと対比されている。図５Ａにおいて、第１のピーク及びバレーにおける正の度数の場所及び大きさは、図４Ａの第１の瞳孔径を問わないレンズと同様である。
【００３１】
第２のピークの場所もまた、図４Ａにおける第２のピークの場所と同様である。レンズの中心における正の度数に対する、第２のピークにおける正の度数は、＋１．００Ｄ〜＋１５．００Ｄの範囲、例えば、図示の通り、約＋４Ｄであってもよいが、第１のピークにおける正の度数の大きさよりも大きい（例えば、図４Ａの＋２．０５Ｄの２倍）。
【００３２】
次に、図５Ｂを参照すると、第２の瞳孔径を問わないレンズの設計は、図３Ａのレンズの設計と比較して、小さい瞳孔について、より高いＲＰＥ値を得る。その上、第２のピークの正の度数の大きさは、第１のピークの正の度数の大きさよりも大きいため、第２のレンズの設計のＲＰＥ値は、より大きい瞳孔についての第１の瞳孔径を問わない設計よりも、更に大きくなる。第２のレンズの設計（ＮＢ）によって、小さい瞳孔についても、より大きい瞳孔径についても、近視の進行を遅滞させることにおいて、治療の効果がある。
【００３３】
本発明によると、度数プロファイルは、レンズの前面又は後面にあってもよい。具体的な実施形態では、レンズが、一旦、眼に定置された場合の覆う効果を考慮したときに、度数プロファイルは、一貫性のあるプロファイルを確保するために、レンズの前面にあってもよい。
【００３４】
図６を参照すると、本発明の実施形態によるコンタクトレンズ６００の線図が示されている。コンタクトレンズ６００は、光学部６０２及び外側部６０４を含む。光学部６０２は、中央部６０６及び少なくとも１つの周辺部６０８を含む。具体的な実施形態では、光学部６０２の直径は、８．０ｍｍになるよう選択されてもよく、実質的円形部６０６の直径は、４．０ｍｍになるよう選択されてもよく、環状外側周辺部６０８の限界直径（boundary diameters）は、レンズ６００の幾何学的中心から測定して５．０ｍｍ及び６．５ｍｍであってもよい。図６は、単に、本発明の例示的実施形態を示している点に留意することが重要である。例えば、この例示的実施形態では、少なくとも１つの周辺部６０８の外周は、光学部６０２の外縁と必ずしも一致していないのに対して、他の例示的実施形態では、一致していてもよい。外側部６０４は、光学部６０２を囲み、かつレンズの位置決め及びセンタリングを含む標準的なコンタクトレンズの特徴を提供する。１つの例示的実施形態によると、外側部６０４は、眼の上にあるときのレンズの回転を低減するための１つ又は２つ以上の安定化機構を含んでもよい。
【００３５】
図６における様々な部が同心円として示され、各部が任意の好適な円形、又は楕円形などの非円形の形状を含んでもよい点に留意することは重要である。
【００３６】
眼の入射瞳孔径が部分母集団によって変わる点に留意することは重要である。特定の例示的実施形態では、レンズの設計をカスタマイズし、患者の平均瞳孔径に基づき、良好な中心窩視力の矯正及び近視の治療の効果の両方を達成することができる。その上、瞳孔径が小児科患者の屈折及び年齢に相関するため、特定の例示的実施形態では、小児科患者の瞳孔径に基づき、具体的な年齢及び／又は屈折を有する小児科の部分母集団の部分群に向けて、レンズを更に最適化してもよい。本質的には、度数プロファイルを、瞳孔径に対して調整するか、又は合わせて、中心窩視力の矯正と、瞳孔径の範囲にわたって、より一貫性のある特別な収差との間の最適なバランスを達成してもよい。
【００３７】
現在入手可能なコンタクトレンズは、依然として、視力矯正のための費用対効果の高い手段である。近視若しくは近目、遠視若しくは遠目、乱視、即ち角膜の非球面性、及び、老眼、即ち、遠近調節する水晶体の能力の喪失を含めて、視覚障害を矯正するために、薄いプラスチックレンズが眼の角膜の上に装着される。コンタクトレンズは、多様な形態で入手可能であり、様々な機能性をもたらすべく多様な材料から製造されている。
【００３８】
終日装用ソフトコンタクトレンズは、通常、酸素透過性を得るために水と組み合わされた軟質のポリマー材料から製造される。終日装用ソフトコンタクトレンズは、１日使い捨て型であっても、連続装用使い捨て型であってもよい。１日使い捨て型のコンタクトレンズは、通例、１日装用された後に捨てられるが、連続装用使い捨て型のコンタクトレンズは、通例、最大で３０日の期間にわたって装用される。着色されたソフトコンタクトレンズは、様々な機能性をもたらすために様々な材料を使用する。例えば、識別用着色コンタクトレンズは、落としたコンタクトレンズを探し出す際に装用者を支援するために、明るい色合いを用いるものであり、強調着色コンタクトレンズは、装用者の生来の眼色を強調することを意図した半透明の色合いを有するものであり、着色コンタクトレンズは、装用者の眼色を変化させることを意図した、より暗く不透明な色合いを備え、光フィルタリング着色コンタクトレンズは、特定の色を強調する一方で他の色を弱めるように機能する。ガス透過性ハードコンタクトレンズは、シロキサン含有ポリマーから製造されるものであるが、ソフトコンタクトレンズよりも硬質であり、したがって、その形状を保ち、より耐久性の高いものである。遠近両用コンタクトレンズは、老眼である患者専用に設計されるものであり、軟質及び硬質の両方の種類で入手可能である。トーリックコンタクトレンズは、乱視である患者専用に設計されるものであり、同様に軟質及び硬質の両方の種類で入手可能である。上記の様々な態様を組み合わせたコンビネーションレンズ、例えばハイブリッドコンタクトレンズもまた入手可能である。
【００３９】
本発明の瞳孔径を問わないレンズの設計を、任意の数の材料から形成された任意の数の様々なコンタクトレンズに組み込んでもよい点に留意することは重要である。具体的には、本発明の瞳孔径を問わないレンズの設計を、終日装用ソフトコンタクトレンズ、ガス透過性硬質コンタクトレンズ、遠近両用コンタクトレンズ、トーリックコンタクトレンズ、及びハイブリッドコンタクトレンズを含む、本明細書に記載のコンタクトレンズのいずれかにおいて使用してもよい。また、本発明は、コンタクトレンズに関して記載されているが、本発明の概念を、眼鏡のレンズ、眼内レンズ、角膜インレー及びアンレーにおいて使用し得る点に留意することは重要である。
【００４０】
最も実際的で好ましいと思われる実施形態を示し説明したが、説明し示した具体的な設計及び方法からの逸脱は、それ自体が当業者に示唆され、本発明の趣旨及び範囲から逸脱することなく使用され得ることは明らかである。本発明は、説明及び図示される特定の構造に限定されるものではないが、付属の特許請求の範囲に含まれ得るすべての改変例と一貫性を有するものとして解釈されるべきである。
【００４１】
〔実施の態様〕
（１）  近視の進行を遅延させること、遅滞させること、又は防止することのうち少なくとも１つのための眼用レンズであって、該眼用レンズは、
近視に対して中心窩視力の矯正をもたらす負の度数を有する該眼用レンズの中心と、
該中心を囲み、かつ前記中心よりも正であるジオプトリ度数を有する第１のピークまで大きくなる度数を有する、第１の周辺部と、
該第１の周辺部を囲み、かつ前記中心よりも正であり、該第１のピークにおける該度数と異なる、ジオプトリ度数を有する第２のピークを有する、第２の周辺部と、を含み、
前記レンズは、瞳孔径を問わず、近視の進行を遅延させ、遅滞させ、又は防止する度数プロファイルを有する、眼用レンズ。
（２）  前記第２のピークにおける前記度数は、前記第１のピークにおける前記度数以下である、実施態様１に記載の眼用レンズ。
（３）  前記第２のピークにおける前記度数は、前記第１のピークにおける前記度数よりも大きい、実施態様１に記載の眼用レンズ。
（４）  前記第１のピークは、前記レンズの前記中心から０．７５ｍｍ〜２．０ｍｍ離れている、実施態様１に記載の眼用レンズ。
（５）  前記第１のピークは、前記中心における前記度数と比較して、＋１．００Ｄ〜＋１５．００Ｄの度数を有する、実施態様１に記載の眼用レンズ。
【００４２】
（６）  前記第２のピークは、前記レンズの前記中心から２．０ｍｍ〜３．５ｍｍ離れている、実施態様１に記載の眼用レンズ。
（７）  前記第２のピークは、前記中心における前記度数と比較して、＋１．００Ｄ〜＋１５．００Ｄの度数を有する、実施態様１に記載の眼用レンズ。
（８）  前記度数プロファイルは、前記第１のピーク又は前記第２のピークにおける大きさよりも少なくとも０．５０ジオプター小さい度数を有するバレーを含む、実施態様１に記載の眼用レンズ。
（９）  前記眼用レンズは、約３ｍｍ〜約７ｍｍの瞳孔直径にわたって、５以上の最小相対度数エネルギーを有する、実施態様１に記載の眼用レンズ。
（１０）  前記眼用レンズは、約３ｍｍ〜約７ｍｍの瞳孔直径にわたって、８以上の最小相対度数エネルギーを有する、実施態様１に記載の眼用レンズ。
【００４３】
（１１）  前記眼用レンズは、コンタクトレンズを含む、実施態様１に記載の眼用レンズ。
（１２）  前記眼用レンズは、眼内レンズ、角膜インレー、又は角膜アンレーを含む、実施態様１に記載の眼用レンズ。
（１３）  １つ又は２つ以上の安定化機構を更に含む、実施態様１に記載の眼用レンズ。
（１４）  １）近視に対して中心窩視力の矯正をもたらす負の度数を有する中心と、２）該中心を囲み、かつ前記中心よりも正であるジオプトリ度数を有する第１のピークまで大きくなる度数を有する、第１の周辺部と、３）該第１の周辺部を囲み、かつ前記中心よりも正であり、該第１のピークにおける該度数と異なる、ジオプトリ度数を有する第２のピークを有する、第２の周辺部と、を含む、レンズを提供することと、
瞳孔径を問わず、眼の延伸を変えることと、により、近視の進行を遅延させること、遅滞させること、又は防止することのうち少なくとも１つのための方法。
（１５）  前記第２のピークにおける前記度数は、前記第１のピークにおける前記度数以下である、実施態様１４に記載の方法。
【００４４】
（１６）  前記第２のピークにおける前記度数は、前記第１のピークにおける前記度数よりも大きい、実施態様１４に記載の方法。
（１７）  前記第１のピークは、前記レンズの前記中心から０．７５ｍｍ〜２．０ｍｍ離れている、実施態様１４に記載の方法。
（１８）  前記第１のピークは、前記中心における前記度数と比較して、＋１．００Ｄ〜＋１５．００Ｄの度数を有する、実施態様１４に記載の方法。
（１９）  前記第２のピークは、前記レンズの前記中心から２．０ｍｍ〜３．５ｍｍ離れている、実施態様１４に記載の方法。
（２０）  前記第２のピークは、前記中心における前記度数と比較して、＋１．００Ｄ〜＋１５．００Ｄの度数を有する、実施態様１４に記載の方法。
【００４５】
（２１）  前記度数プロファイルは、前記第１のピーク又は前記第２のピークにおける大きさよりも少なくとも０．５０ジオプター小さい度数を有するバレーを含む、実施態様１４に記載の方法。
（２２）  前記眼用レンズは、約３ｍｍ〜約７ｍｍの瞳孔直径にわたって、５以上の最小相対度数エネルギーを有する、実施態様１４に記載の方法。
（２３）  前記眼用レンズは、約３ｍｍ〜約７ｍｍの瞳孔直径にわたって、８以上の最小相対度数エネルギーを有する、実施態様１４に記載の方法。
（２４）  前記眼用レンズは、コンタクトレンズを含む、実施態様１４に記載の方法。
（２５）  前記眼用レンズは、眼内レンズ、角膜インレー、又は角膜アンレーを含む、実施態様１４に記載の方法。
【００４６】
（２６）  １つ又は２つ以上の安定化部を前記レンズに追加することを更に含む、実施態様１４に記載の方法。
【図１】
0006698293.tif 000004
【図２】
0006698293.tif 000005
【図３Ａ】
0006698293.tif 000006
【図３Ｂ】
0006698293.tif 000007
【図４Ａ】
0006698293.tif 000008
【図４Ｂ】
0006698293.tif 000009
【図５Ａ】
0006698293.tif 000010
【図５Ｂ】
0006698293.tif 000011
【図６】
0006698293.tif 000012